(57)【要約】【課題】吸引ラインに設けられる容器に接続可能な流れ形成ユニットであって、容器に向かう流体の流れの形成の停止頻度を低下させることや、容器内の圧力の変動に対応することが可能な流れ形成ユニットを提供すること。【解決手段】流れ形成ユニット（２００）であって、容器（１００）に向かう流体の流れを形成可能な第１ポンプユニット（２１０）と、容器（１００）に向かう流体の流れを形成可能な第２ポンプユニット（２２０）と、第１ポンプユニット（２１０）と第２ポンプユニット（２２０）とが互いに並列となるようにこれらポンプユニットと容器（１００）とを接続可能な接続部（２３０）と、第１ポンプユニット（２１０）及び第２ポンプユニット（２２０）のいずれか一方のポンプユニットのみの駆動中において他方のポンプユニットを駆動させる駆動条件が成立したときに、少なくとも他方のポンプユニットを駆動する制御部（２４０）と、を備えること。【選択図】図８
2018061731.tif 000002
【特許請求の範囲】
【請求項１】
吸引ラインに設けられる容器に対して接続可能であり、前記容器に向かう流体の流れを形成する流れ形成ユニットであって、
第１圧電素子と前記第１圧電素子の伸長及び収縮によって振動する第１ダイヤフラムとを含む第１圧電ポンプを含み、前記容器に向かう流体の流れを形成可能な第１ポンプユニットと、
第２圧電素子と前記第２圧電素子の伸長及び収縮によって振動する第２ダイヤフラムとを含む第２圧電ポンプを含み、前記容器に向かう流体の流れを形成可能な第２ポンプユニットと、
前記第１ポンプユニットと前記第２ポンプユニットとが互いに並列となるようにこれらポンプユニットと前記容器とを接続可能な接続部と、
前記第１ポンプユニット及び前記第２ポンプユニットのいずれか一方のポンプユニットのみの駆動中において他方のポンプユニットを駆動させる駆動条件が成立したときに、少なくとも前記他方のポンプユニットを駆動する制御部と、を備える、流れ形成ユニット。
【請求項２】
請求項１に記載の流れ形成ユニットにおいて、
前記駆動条件は、前記一方のポンプユニットのみの駆動状態から前記他方のポンプユニットのみの駆動状態に切り替える切替条件を含み、
前記制御部は、前記一方のポンプユニットのみの駆動中において前記切替条件が成立したときに、前記一方のポンプユニットを停止させるとともに前記他方のポンプユニットを駆動する、流れ形成ユニット。
【請求項３】
請求項１又は２に記載の流れ形成ユニットにおいて、
前記駆動条件は、前記一方のポンプユニットのみの駆動状態から当該一方のポンプユニット及び前記他方のポンプユニットの駆動状態に切り替える複数駆動条件を含み、
前記制御部は、前記一方のポンプユニットのみの駆動中において前記複数駆動条件が成立したときに、前記他方のポンプユニットをも駆動する、流れ形成ユニット。
【請求項４】
請求項１ないし３のいずれかに記載の流れ形成ユニットにおいて、
前記制御部は、前記第１ポンプユニット及び前記第２ポンプユニットの双方が停止している状態から前記第１ポンプユニット及び前記第２ポンプユニットを駆動する際、前記第１ポンプユニットの使用可能期間及び前記第２ポンプユニットの使用可能期間のうち使用可能期間が短い方のポンプユニットから優先的に駆動する、流れ形成ユニット。
【請求項５】
請求項１ないし４のいずれかに記載の流れ形成ユニットにおいて、
前記接続部は、
前記容器と前記第１ポンプユニットとを連結する第１流路と、
前記第１流路に設けられた第１開閉弁と、
前記容器と前記第２ポンプユニットとを連結する第２流路と、
前記第２流路に設けられた第２開閉弁と、を有し、
前記制御部は、前記第１ポンプユニットのみの駆動中において前記駆動条件が成立したときに、少なくとも前記第２開閉弁を開くとともに前記第２ポンプユニットを駆動する、流れ形成ユニット。
【請求項６】
請求項１ないし５のいずれかに記載の流れ形成ユニットにおいて、
前記第１ポンプユニットは、前記第１圧電ポンプと直列に接続された第３圧電ポンプを含み、前記第３圧電ポンプは、第３圧電素子と、前記第３圧電素子の伸長及び収縮によって振動する第３ダイヤフラムと、を含み、
前記第２ポンプユニットは、前記第２圧電ポンプと直列に接続された第４圧電ポンプを含み、前記第４圧電ポンプは、第４圧電素子と、前記第４圧電素子の伸長及び収縮によって振動する第４ダイヤフラムと、を含む、流れ形成ユニット。
【請求項７】
請求項１ないし６のいずれかに記載の流れ形成ユニットと、
前記容器と、を備え、
前記容器は、胸腔内から排出される液体を貯留可能であり、
前記流れ形成ユニットは、前記吸引ラインにおける前記容器の下流側に設けられており、前記容器内の気体を吸引することによって胸腔内から前記容器に向かう流体の流れを形成する、胸腔ドレナージ。
【発明の詳細な説明】
【技術分野】
【０００１】
本発明は、吸引ラインの途中に設けられる容器に接続可能な流れ形成ユニットに関するものである。
【背景技術】
【０００２】
従来、胸腔等の体腔内の気体及び液体や、母乳等の液体を吸引するための吸引ラインに設けられる吸引装置が知られている。例えば、特許文献１には、吸引ラインに設けられた容器と、容器内の気体を吸引することにより容器に向かう流体の流れを形成可能な圧電ポンプと、を備える吸引装置が開示されている。圧電ポンプは、チューブを介して容器に接続されている。圧電ポンプは、圧電素子と、この圧電素子の伸長及び収縮によって振動するダイヤフラムと、を有している。このため、ダイヤフラムが振動することによってチューブを介して容器内の気体が吸引され、これにより液体（母乳等）が容器内に貯留される。
【先行技術文献】
【特許文献】
【０００３】
【特許文献１】特許第５８５０２１０号公報
【発明の概要】
【発明が解決しようとする課題】
【０００４】
特許文献１に示されるような吸引装置では、当該装置での吸引中において、圧電ポンプの使用可能期間の低下や圧電ポンプの破損等に起因して圧電ポンプが停止した場合、容器に向かう流体の流れの形成（吸引）が継続されなくなる。また、この吸引装置の駆動中に吸引ラインからの空気の漏出が多くなった場合等には、容器内の圧力を所定の設定負圧に維持すること（所定の吸引圧を維持すること）が困難になる。
【０００５】
本発明の目的は、吸引ラインに設けられる容器に接続可能な流れ形成ユニットであって、容器に向かう流体の流れの形成の停止頻度を低下させることや、容器内の圧力の変動に対応することが可能な流れ形成ユニットと、前記流れ形成ユニットを備える胸腔ドレナージと、を提供することである。
【課題を解決するための手段】
【０００６】
前記課題を解決する手段として、本発明は、吸引ラインに設けられる容器に対して接続可能であり、前記容器に向かう流体の流れを形成する流れ形成ユニットであって、第１圧電素子と前記第１圧電素子の伸長及び収縮によって振動する第１ダイヤフラムとを含む第１圧電ポンプを含み、前記容器に向かう流体の流れを形成可能な第１ポンプユニットと、第２圧電素子と前記第２圧電素子の伸長及び収縮によって振動する第２ダイヤフラムとを含む第２圧電ポンプを含み、前記容器に向かう流体の流れを形成可能な第２ポンプユニットと、前記第１ポンプユニットと前記第２ポンプユニットとが互いに並列となるようにこれらポンプユニットと前記容器とを接続可能な接続部と、前記第１ポンプユニット及び前記第２ポンプユニットのいずれか一方のポンプユニットのみの駆動中において他方のポンプユニットを駆動させる駆動条件が成立したときに、少なくとも前記他方のポンプユニットを駆動する制御部と、を備える、流れ形成ユニットを提供する。
【０００７】
本流れ形成ユニットは、少なくとも２つのポンプユニットを含み、制御部は、いずれか一方のポンプユニットの駆動中において前記駆動条件が成立したときに、少なくとも他方のポンプユニットを駆動する。このため、例えば、一方のポンプユニットの使用可能期間が所定期間を下回ることが前記駆動条件として設定されることにより、一方のポンプユニットの使用可能期間が低下した場合であっても、他方のポンプユニットにより容器に向かう流体の流れの形成が継続される。また、例えば、一方のポンプユニットのみによる吸引力が設定吸引力に達していないこと（容器内の圧力が設定負圧に達していないこと）が前記駆動条件として設定されることにより、一方のポンプユニットの駆動のみでは容器内の圧力を設定負圧に維持することが困難な場合であっても、２つのポンプユニットが同時に駆動されることによって容器内の圧力を設定負圧に維持することが可能となる。よって、本流れ形成ユニットは、容器に接続されることにより、容器に向かう流体の流れの形成の停止頻度を低下させることや、容器内の圧力の変動に対応することが可能となる。
【０００８】
この場合において、前記駆動条件は、前記一方のポンプユニットのみの駆動状態から前記他方のポンプユニットのみの駆動状態に切り替える切替条件を含み、前記制御部は、前記一方のポンプユニットのみの駆動中において前記切替条件が成立したときに、前記一方のポンプユニットを停止させるとともに前記他方のポンプユニットを駆動することが好ましい。
【０００９】
このようにすれば、例えば、一方のポンプユニットの使用可能期間が短くなることや一方のポンプユニットに不具合が生じることが前記切替条件に設定されることにより、そのような場合であっても、一方のポンプユニットの駆動状態から他方のポンプユニットの駆動状態に切り替えられるので、容器に向かう流体の流れの形成が継続される。
【００１０】
また、前記流れ形成ユニットにおいて、前記駆動条件は、前記一方のポンプユニットのみの駆動状態から当該一方のポンプユニット及び前記他方のポンプユニットの駆動状態に切り替える複数駆動条件を含み、前記制御部は、前記一方のポンプユニットのみの駆動中において前記複数駆動条件が成立したときに、前記他方のポンプユニットをも駆動することが好ましい。
【００１１】
このようにすれば、例えば、一方のポンプユニットのみによる吸引力が設定吸引力に達していないこと（容器内の圧力が設定負圧に到達していないこと）が前記複数駆動条件に設定されることにより、そのような場合であっても、２つのポンプユニットが同時に駆動されるので、容器内の圧力が設定負圧に達しないことが抑制される。
【００１２】
また、前記流れ形成ユニットにおいて、前記制御部は、前記第１ポンプユニット及び前記第２ポンプユニットの双方が停止している状態から前記第１ポンプユニット及び前記第２ポンプユニットを駆動する際、前記第１ポンプユニットの使用可能期間及び前記第２ポンプユニットの使用可能期間のうち使用可能期間が短い方のポンプユニットから優先的に駆動することが好ましい。
【００１３】
このようにすれば、使用可能期間の短い方のポンプユニットから先に消費される。
【００１４】
また、前記流れ形成ユニットにおいて、前記接続部は、前記容器と前記第１ポンプユニットとを連結する第１流路と、前記第１流路に設けられた第１開閉弁と、前記容器と前記第２ポンプユニットとを連結する第２流路と、前記第２流路に設けられた第２開閉弁と、を有し、前記制御部は、前記第１ポンプユニットのみの駆動中において前記駆動条件が成立したときに、少なくとも前記第２開閉弁を開くとともに前記第２ポンプユニットを駆動することが好ましい。
【００１５】
このようにすれば、第１ポンプユニットの駆動中に第２ポンプユニットに生じる圧力変動による影響が抑制され、駆動条件が成立したときに第２ポンプユニットにより流体が吸引される。
【００１６】
また、前記流れ形成ユニットにおいて、前記第１ポンプユニットは、前記第１圧電ポンプと直列に接続された第３圧電ポンプを含み、前記第３圧電ポンプは、第３圧電素子と、前記第３圧電素子の伸長及び収縮によって振動する第３ダイヤフラムと、を含み、前記第２ポンプユニットは、前記第２圧電ポンプと直列に接続された第４圧電ポンプを含み、前記第４圧電ポンプは、第４圧電素子と、前記第４圧電素子の伸長及び収縮によって振動する第４ダイヤフラムと、を含むことが好ましい。
【００１７】
このようにすれば、各ポンプユニットによる吸引力が高まるので、単一のポンプユニットで容器に向かう流体の流れを有効に形成することが可能となる。
【００１８】
また、本発明は、前記流れ形成ユニットと、前記容器と、を備え、前記容器は、胸腔内から排出される液体を貯留可能であり、前記流れ形成ユニットは、前記吸引ラインにおける前記容器の下流側に設けられており、前記容器内の気体を吸引することによって胸腔内から前記容器に向かう流体の流れを形成する、胸腔ドレナージを提供する。
【発明の効果】
【００１９】
以上のように、本発明によれば、吸引ラインに設けられる容器に接続可能な流れ形成ユニットであって、容器に向かう流体の流れの形成の停止頻度を低下させることや、容器内の圧力の変動に対応することが可能な流れ形成ユニットと、前記流れ形成ユニットを備える胸腔ドレナージと、を提供することができる。
【図面の簡単な説明】
【００２０】
【図１】本発明の一実施形態の吸引装置の正面図である。
【図２】図１の吸引装置の右側面図である。
【図３】図１の吸引装置の背面図である。
【図４】容器の斜視図である。
【図５】吸引ユニットの斜視図である。
【図６】図１のＶＩ−ＶＩ線での断面図である。
【図７】吸引ユニットの蓋が取り外された状態を示す斜視図である。
【図８】吸引装置を含む吸引ラインの概略図である。
【図９】制御部の制御内容を示すフローチャートである。
【発明を実施するための形態】
【００２１】
本発明の一実施形態の吸引装置１について、図１〜図９を参照しながら説明する。なお、本実施形態では、吸引装置１として、胸腔ドレナージが示されている。また、本吸引装置１の使用時の姿勢は特に限定されないが、便宜上、以下の説明では、図１〜図３に基づいて上下方向を定義する。
【００２２】
本実施形態の吸引装置１は、吸引ラインに設けられた容器１００と、容器１００に向かう流体の流れを形成する流れ形成ユニットと、を備えている。本実施形態では、容器１００として、胸腔ドレナージに用いられる容器（患者の胸腔内から排出された液体を貯留可能な容器）が示されており、流れ形成ユニットとして、容器１００に対して着脱自在に装着されることが可能で、かつ、容器１００内の気体を吸引することによって胸腔内から容器１００に向かう流体の流れを形成する吸引ユニット２００が示されている。
【００２３】
容器１００は、患者の体腔内の気体及び液体を吸引するための吸引ラインの途中に設けられる。この容器１００は、貯留部１１０と、水封部１２０と、を有する。
【００２４】
貯留部１１０は、患者の体腔内から第１チューブ１１（図８を参照）を通じて流出した体液等の液体を貯留する。貯留部１１０の上部には、前記液体の貯留部１１０への流入を許容する流入部１１２が接続されている。流入部１１２は、第１チューブ１１と接続可能でかつ第１チューブ１１を介して患者の体腔内と貯留部１１０とを連通させる形状を有している。
【００２５】
水封部１２０は、貯留部１１０に隣接している。水封部１２０には、無菌蒸留水（水封液）が注入される。水封部１２０内は、貯留部１１０内とつながっている。このため、患者の対空内から貯留部１１０に流入した気体は、水封部１２０に流入する。水封部１２０の上部には、貯留部１１０及び無菌蒸留水を通過した気体を容器１００外に排出させる排出部１２２が接続されている。排出部１２２は、第２チューブ１２と接続可能でかつ第２チューブ１２内と水封部１２０内とを連通される形状を有している。
【００２６】
本実施形態では、図４及び図６に示されるように、容器１００は、吸引ユニット２００を当該容器１００に取り付けるための一対の取付部１３０を有している。一対の取付部１３０の一方は、貯留部１１０の外側面のうち水封部１２０と対向する部位に形成されており、一対の取付部１３０の他方は、水封部１２０の外側面のうち貯留部１１０と対向する部位に形成されている。各取付部１３０は、上下方向に沿って直線状に延びる形状を有している。
【００２７】
吸引ユニット２００は、容器１００に対して着脱自在に接続可能であり、容器１００内の気体を吸引するユニットである。吸引ユニット２００は、第２チューブ１２、フィルタユニット３００及び第３チューブ１３を介して容器１００内の気体を吸引する。図８に示されるように、吸引ユニット２００は、少なくとも第１ポンプユニット２１０及び第２ポンプユニット２２０と、各ポンプユニット２１０，２２０と第３チューブ１３とを接続する接続部２３０と、制御部２４０と、ケース２５０と、を有している。
【００２８】
第１ポンプユニット２１０は、第１圧電ポンプ２１１を有している。第１圧電ポンプ２１１は、第１圧電素子２１１ａと、第１圧電素子２１１ａの伸長及び収縮によって振動する第１ダイヤフラム２１１ｂと、を有する。第１ポンプユニット２１０は、ケース２５０に対して着脱自在に装着されることが可能な装着部２１０ａを有している。
【００２９】
第２ポンプユニット２２０は、第２圧電ポンプ２２１を有している。第２圧電ポンプ２２１は、第２圧電素子２２１ａと、第２圧電素子２２１ａの伸長及び収縮によって振動する第２ダイヤフラム２２１ｂと、を有する。第２ポンプユニット２２０は、ケース２５０に対して着脱自在に装着されることが可能な装着部２２０ａを有している。
【００３０】
本実施形態では、第１ポンプユニット２１０は、第１圧電ポンプ２１１に直列に接続された第３圧電ポンプ２１３を有しており、第２ポンプユニット２２０は、第２圧電ポンプ２２１に直列に接続された第４圧電ポンプ２２４を有している。なお、第２圧電ポンプ２１３及び第４圧電ポンプ２２４の構造は、第１圧電ポンプ２１１と同じである。各圧電ポンプには、使用可能期間が設定されている。
【００３１】
接続部２３０は、第１ポンプユニット２１０と第２ポンプユニット２２０とが互いに並列となるようにこれらポンプユニット２１０，２２０と第３チューブ１３とを接続する。接続部２３０は、第３チューブ１３の下流側の端部に接続された第３流路２３３と、第３流路２３３の下流側の端部と第１ポンプユニット２１０とを連結する第１流路２３１と、第３流路２３３の下流側の端部と第２ポンプユニット２２０とを連結する第２流路２３２と、を有している。第１流路２３１には、第１開閉弁Ｖ１が設けられており、第２流路２３２には、第２開閉弁Ｖ２が設けられている。第３流路２３３には、圧力センサ２３５が設けられている。
【００３２】
ケース２５０は、各ポンプユニット２１０，２２０、接続部２３０及び制御部２４０を収容する。ケース２５０の上部には、第３チューブ１３を接続する接続部２５１が設けられている。接続部２５１は、第３チューブ１３内と接続部２３０内とを連通させる形状を有している。ケース２５０は、容器１００に対して着脱自在に接続可能である。ケース２５０の外側面には、各取付部１３０に沿ってケース２５０が上下方向にスライドするように当該ケース２５０を案内する一対の案内溝２５２が形成されている。各案内溝２５２が各取付部１３０の下方に位置しかつ各案内溝２５２と各取付部１３０とが上下に重なる状態からケース２５０を各取付部１３０に沿って上方にスライドさせることにより、ケース２５０が容器１００へ取り付けられる。このため、ケース２５０（吸引ユニット２００）が容器１００に対して各案内溝２５２と直交する方向に変位するのが規制される。なお、図２に示されるように、ケース２５０が容器１００に対して正規の位置に嵌め込まれた位置において、ケース２５０に設けられた係止部２５３によってケース２５０が容器１００の水封部１２０の側部１２０ｓに固定される。この状態では、係止部２５３が水封部１２０の側部１２０ｓに係合しているため、吸引ユニット２００の容器１００からの落下が抑制される。また、係止部２５３が水封部１２０の側部１２０ｓに係合した状態において、ケース２５０に設けられたロック部２５５（図５を参照）によって、係止部２５３が水封部１２０の側部１２０ｓから離間する方向に変位することが規制される。なお、図７は、ケース２５０の蓋２５４（図３を参照）が取り外された状態を示す。
【００３３】
制御部２４０は、第１ポンプユニット２１０及び第２ポンプユニット２２０のいずれか一方のポンプユニットのみの駆動中において、他方のポンプユニットを駆動させる駆動条件が成立したときに、少なくとも他方のポンプユニットを駆動する。前記駆動条件は、前記一方のポンプユニットのみの駆動状態から前記他方のポンプユニットのみの駆動状態に切り替える切替条件と、前記一方のポンプユニットのみの駆動状態から当該一方のポンプユニット及び前記他方のポンプユニットの駆動状態に切り替える複数駆動条件と、を含む。つまり、制御部２４０は、例えば第１ポンプユニット２１０のみの駆動中に前記切替条件が成立した場合、第２ポンプユニット２２０のみの駆動状態に切り替える。また、制御部２４０は、例えば第１ポンプユニット２１０のみの駆動中に前記複数駆動条件が成立した場合、第１ポンプユニット２１０に加えて第２ポンプユニット２２０をも駆動する。ここで、切替条件は、前記一方のポンプユニットのみの駆動中において当該一方のポンプユニットの使用可能期間がゼロとなった場合（例えば、圧電素子及びダイヤフラムの少なくとも一方が劣化した場合）に成立したと判定される。複数駆動条件は、前記一方のポンプユニットのみの駆動中において当該一方のポンプユニットのみの吸引力が設定吸引力に達していない場合、本実施形態では、圧力センサ２３５の検出負圧Ｐが設定負圧Ｐｓに到達していない場合（設定負圧Ｐｓよりも大きい場合）に成立したと判定される。
【００３４】
具体的に、制御部２４０は、切替条件判定部２４１と、複数駆動条件判定部２４２と、使用可能期間判定部２４３と、切替部２４４と、を有する。
【００３５】
切替条件判定部２４１は、第１ポンプユニット２１０の使用可能期間である第１使用可能期間Ｔ１がゼロであるか否か、あるいは、第２ポンプユニット２２０の使用可能期間である第２使用可能期間Ｔ２がゼロであるか否かを判定する。各使用可能期間は、各ポンプユニット２１０，２２０に内蔵されたメモリに記憶される。
【００３６】
複数駆動条件判定部２４２は、前記一方のポンプユニットのみの駆動中において、圧力センサ２３５の検出負圧Ｐが設定負圧Ｐｓよりも大きいか否かを判定する。
【００３７】
使用可能期間判定部２４３は、第１使用可能期間Ｔ１及び第２使用可能期間Ｔ２のうち使用可能期間が短い方のポンプユニットを判定する。
【００３８】
切替部２４４は、切替条件判定部２４１、複数駆動条件判定部２４２及び使用可能期間判定部２４３のそれぞれから所定の信号を受ける。切替部２４４は、前記信号に基づいて、各ポンプユニット２１０，２２０の駆動及び停止、並びに、各開閉弁Ｖ１，Ｖ２の開閉を切り替える。
【００３９】
以下、制御部２４０の具体的な制御内容を図９を参照しながら説明する。
【００４０】
本吸引装置の停止時は、各開閉弁Ｖ１，Ｖ２は閉じられており、各ポンプユニット２１０，２２０は停止している。この状態で、容器１００内の圧力として所定の設定負圧Ｐｓが設定され、吸引装置１が駆動されると、制御部２４０（使用可能期間判定部２４３）は、第１ポンプユニット２１０の第１使用可能期間Ｔ１が第２ポンプユニット２２０の第２使用可能期間Ｔ２以下か否かを判断する（ステップＳ１１）。その結果、第１使用可能期間Ｔ１が第２使用可能期間Ｔ２以下である場合、制御部２４０（切替部２４４）は、第１ポンプユニット２１０（第１圧電ポンプ２１１及び第３圧電ポンプ２１３）を駆動するとともに、第１開閉弁Ｖ１を開く（ステップＳ１２）。一方、第１使用可能期間Ｔ１が第２使用可能期間Ｔ２よりも大きい場合、制御部２４０（切替部２４４）は、第２ポンプユニット２２０（第２圧電ポンプ２２１及び第４圧電ポンプ２２４）を駆動するとともに、第２開閉弁Ｖ２を開く（ステップＳ３２）。なお、ステップＳ１２以降の制御フローとステップＳ３２以降の制御フローとは、各ポンプユニット２１０，２２０及び各開閉弁Ｖ１，Ｖ２に関連する制御が互いに逆である点でのみ異なるため、以下では、ステップＳ１２以降の制御フロー、つまり、第１使用可能期間Ｔ１が第２使用可能期間Ｔ２以下である場合（ステップＳ１１でＹＥＳの場合）以降の制御フローについてのみ説明する。このため、図９では、ステップＳ３２以降の制御フローの図示は省略されている。
【００４１】
ステップＳ１２の後、制御部２４０（複数駆動条件判定部２４２）は、前記複数駆動条件が成立したか否か、すなわち、圧力センサ２３５の検出負圧Ｐが設定負圧Ｐｓよりも大きいか否かを判定する（ステップＳ１３）。
【００４２】
この結果、前記検出負圧Ｐが設定負圧Ｐｓよりも大きい場合（前記複数駆動条件が成立している場合）、換言すれば、第１ポンプユニット２１０のみの駆動では吸引力が不足している場合、制御部２４０（切替部２４４）は、第２ポンプユニット２２０（第２圧電ポンプ２２１及び第４圧電ポンプ２２４）を駆動するとともに、第２開閉弁Ｖ２を開く（ステップＳ１４）。この状態（第１ポンプユニット２１０及び第２ポンプユニット２２０の双方が駆動されている状態）において、制御部２４０は、再度、前記検出負圧Ｐが設定負圧Ｐｓよりも大きいか否かを判定する（ステップＳ１５）。この結果、前記検出負圧Ｐが設定負圧Ｐｓ以下である場合、制御部２４０は、ステップＳ１５に戻る一方、前記検出負圧Ｐが依然として設定負圧Ｐｓよりも大きい場合、制御部２４０は、警報を発生させる（ステップＳ１６）。なお、警報発生の例として、リークしていること（患者の肺の穴が大きくなったり、第１チューブ１１と流入部１１２との接続状態が悪化したりすること等）を示す警報音の発生、ケース２５０に内蔵されたＬＣＤへの警報の表示、ケース２５０に内蔵されたパイロットランプの点灯が挙げられる。この警報後、オペレータは、適宜処置を行う。
【００４３】
一方、ステップＳ１３において前記検出負圧Ｐが設定負圧Ｐｓ以下である場合（ステップＳ１３でＮＯ）、換言すれば、第１ポンプユニット２１０のみの駆動で吸引力が十分である場合、制御部２４０は、第１使用可能期間Ｔ１を更新する（ステップＳ１７）。そして、制御部２４０（切替条件判定部２４１）は、前記切替条件が成立したか否か、すなわち、第１使用可能期間Ｔ１がゼロであるか否かを判定する（ステップＳ１８）。
【００４４】
この結果、第１使用可能期間Ｔ１がゼロよりも大きい場合、つまり、第１ポンプユニット２１０による吸引の継続が可能である場合、制御部２４０は、第１使用可能期間Ｔ１が設定期間Ｔｓ（例えば２４時間）以下であるか否かを判定する（ステップＳ１９）。そして、第１使用可能期間Ｔ１が設定期間Ｔｓよりも大きい場合、制御部２４０は、ステップＳ１３に戻る一方、第１使用可能期間Ｔ１が設定期間Ｔｓ以下である場合、制御部２４０は、警報を発生させ（ステップＳ２０）、ステップＳ１３に戻る。なお、この警報発生の例として、ポンプユニットの交換を示す警報、ケース２５０に内蔵されたＬＣＤへの警報の表示、ケース２５０に内蔵されたパイロットランプの点灯が挙げられる。
【００４５】
また、ステップＳ１８において第１使用可能期間Ｔ１がゼロである場合（ステップＳ１８でＹＥＳ）、制御部２４０は、警報を発生させる（ステップＳ２１）。そして、ステップＳ２１の後、あるいは、ステップＳ２１と同時に、制御部２４０（切替部２４４）は、第１ポンプユニット２１０を停止するとともに第１開閉弁Ｖ１を閉じ（ステップＳ２２）、第２ポンプユニット２２０を駆動するとともに第２開閉弁Ｖ２を開く（ステップＳ２３）。これにより、第１ポンプユニット２１０のみによる吸引状態から第２ポンプユニット２２０のみによる吸引状態に切り替わる。よって、容器１００内の気体の吸引が継続される。また、第１開閉弁Ｖ１が閉じられるため、第１流路２３１を通じて外部から第２流路２３２へ空気が流入するのが防止される。なお、ステップＳ２２及びステップＳ２３は、この順で行われても逆の順で行われてもよく、あるいは、同時に行われてもよい。
【００４６】
第１ポンプユニット２１０のみによる吸引状態から第２ポンプユニット２２０のみによる吸引状態に切り替わったときに、第１使用可能期間Ｔ１がゼロとなった使用済みの第１ポンプユニットは、新しい第１ポンプユニット２１０に交換されることが好ましい。
【００４７】
次に、制御部２４０は、前記検出負圧Ｐが設定負圧Ｐｓよりも大きいかを判定する（ステップＳ２４）。この結果、前記検出負圧Ｐが設定負圧Ｐｓよりも大きい場合、制御部２４０は、警報を発生させる（ステップＳ２５）。一方、前記検出負圧Ｐが設定負圧Ｐｓ以下である場合、制御部２４０は、第２使用可能期間Ｔ２を更新する（ステップＳ２６）。そして、制御部２４０（切替条件判定部２４１）は、第２使用可能期間Ｔ２がゼロであるか否かを判定する（ステップＳ２７）。
【００４８】
この結果、第２使用可能期間Ｔ２がゼロよりも大きい場合、つまり、第２ポンプユニット２２０による吸引の継続が可能である場合、制御部２４０は、第２使用可能期間Ｔ２が設定期間Ｔｓ以下であるか否かを判定する（ステップＳ２８）。そして、第２使用可能期間Ｔ２が設定期間Ｔｓよりも大きい場合、制御部２４０は、ステップＳ２４に戻る一方、第２使用可能期間Ｔ２が設定期間Ｔｓ以下である場合、制御部２４０は、警報を発生させ（ステップＳ２９）、ステップＳ２４に戻る。
【００４９】
一方、第２使用可能期間Ｔ２がゼロである場合（ステップＳ２７でＹＥＳ）、制御部２４０は、警報を発生させる（ステップＳ３０）。ここで、第１ポンプユニット２１０による吸引から第２ポンプユニット２２０による吸引に切り替わった後、使用済みの第１ポンプユニットが新しい第１ポンプユニット２１０に交換されていた場合、制御部２４０は、ステップＳ３０の後、あるいは、ステップＳ３０と同時に、ステップＳ１２に戻る。
【００５０】
以上に説明したように、本実施形態の吸引装置１の吸引ユニット２００は、２つのポンプユニット２１０，２２０を含み、制御部２４０は、一方のポンプユニット（例えば第１ポンプユニット２１０）のみの駆動中において前記切替条件が成立したときに、一方のポンプユニットを停止させるとともに他方のポンプユニットを駆動する。このため、前記一方のポンプユニットの使用可能期間が短くなった場合（例えばゼロとなった場合）であっても、一方のポンプユニットの駆動状態から他方のポンプユニットの駆動状態に切り替えられるので、容器１００内の気体の吸引が継続される。なお、一方のポンプユニットに不具合が生じることや、一方のポンプユニットの駆動中に当該一方のポンプユニットがケース２５０から外された場合等が前記切替条件に設定されてもよい。
【００５１】
また、制御部２４０は、一方のポンプユニットのみの駆動中において前記複数駆動条件が成立したときに、他方のポンプユニットをも駆動する。このため、容器内の圧力が設定負圧Ｐｓに到達していない場合であっても、２つのポンプユニット２１０，２２０が同時に駆動されるので、容器１００内の圧力が設定負圧Ｐｓに達しないことが抑制される。
【００５２】
また、制御部２４０は、一方のポンプユニットのみの駆動中において前記切替条件が成立したときに、当該一方のポンプユニットと第３流路２３３とを連結する流路に設けられている開閉弁を閉じる。よって、当該流路を通じて他方のポンプユニットに外部から空気が流入することが抑制される。
【００５３】
今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５４】
例えば、吸引ユニット２００は、３以上のポンプユニットを有していてもよい。
【００５５】
また、上記実施形態では、検出負圧Ｐが設定負圧Ｐｓに到達していない場合に複数駆動条件が成立したと判定される例が示されたが、一方のポンプユニットによる吸引力が設定吸引力に達していないことを示す条件は、これに限られない。例えば、圧力センサ２３５に変えて流量センサが第３流路２３３に設けられ、この流量センサの検出値が設定流量に達していない場合に複数駆動条件が成立したと判定されてもよい。
【００５６】
また、ステップＳ１９及びステップＳ２０では、第１使用可能期間Ｔ１が設定期間Ｔｓ以下である場合に警報が発生される例が示されたが、設定期間Ｔｓとして、複数の期間が設定されてもよい。すなわち、第１使用可能期間Ｔ１が第１設定期間（例えば２４時間）以下となったときに１回目の警報が発生され、第１使用可能期間Ｔ１が第１設定期間よりも短い第２設定期間（例えば１２時間）となったときに２回目の警報が発生され、その後、第１使用可能期間Ｔ１が第２設定期間よりも短い第３設定期間（例えば１時間）以下となったときに３回目の警報が発生されるように構成されてもよい。
【００５７】
また、流れ形成ユニットは、吸引ラインにおける容器１００の上流側に設けられてもよい。
【符号の説明】
【００５８】
１    吸引装置（胸腔ドレナージ）
１００    容器
１１０    貯留部
１２０    水封部
２００    吸引ユニット（流れ形成ユニット）
２１０    第１ポンプユニット
２１１    第１圧電ポンプ
２１１ａ  第１圧電素子
２１１ｂ  第１ダイヤフラム
２１３    第３圧電ポンプ
２２０    第２ポンプユニット
２２１    第２圧電ポンプ
２２１ａ  第２圧電素子
２２１ｂ  第２ダイヤフラム
２２４    第４圧電ポンプ
２３０    接続部
２３１    第１流路
２３２    第２流路
２３３    第３流路
２４０    制御部
２５０    ケース
３００    フィルタユニット
Ｖ１      第１開閉弁
Ｖ２      第２開閉弁
【図１】
2018061731.tif 000003
【図２】
2018061731.tif 000004
【図３】
2018061731.tif 000005
【図４】
2018061731.tif 000006
【図５】
2018061731.tif 000007
【図６】
2018061731.tif 000008
【図７】
2018061731.tif 000009
【図８】
2018061731.tif 000010
【図９】
2018061731.tif 000011